(57)【要約】      （修正有）【課題】使用時に前方へと小水が飛散することのない簡易トイレを提供する。【解決手段】上面が開口した箱体２上に前部が開口した便座３を備え、前記箱体２内に排便袋４をセットして使用する簡易トイレ１であって、前記箱体２の前面２ａの少なくとも上部が開口している。これにより排便袋４を前方へと拡大することができ、小水が飛散することが防止できる。【選択図】図１
0003181896.tif 000002
【実用新案登録請求の範囲】
【請求項１】
上面が開口した箱体上に前部が開口した便座を備え、前記箱体内に排便袋をセットして使用する簡易トイレであって、前記箱体の前面の少なくとも上部が開口している、簡易トイレ。
【請求項２】
前記開口の形状は、上端が最も幅広で、下に行くに連れて徐々に狭まる形状である、請求項１に記載の簡易トイレ。
【考案の詳細な説明】
【技術分野】
【０００１】
本考案は、被災時等の非常時に使用する簡易トイレに関するものである。
【背景技術】
【０００２】
被災時等に使用する簡易トイレとして、上面が開口した箱体の上に便座を取り付けて使用するものが知られている。利用者は、前記箱体の中に排便袋をセットし、前記便座に腰を下ろして排便を行う。その後、排便袋内に凝固材を振りかけて汚物を固めることにより、袋ごと可燃物として処理することができる。
【考案の概要】
【考案が解決しようとする課題】
【０００３】
前記構成の簡易トイレによれば、使用時に小水が前記箱体から前方へと飛散しやすく、使い勝手が悪いという問題があった。この問題は、前記箱体の前後長さを長くすれば解決するが、そうすると簡易トイレが大型になってしまい、取り扱い性が悪くなる。
【０００４】
本考案は、前記のような事情に鑑みてなされたもので、使用時に前方へと小水が飛散することがなく、取り扱い性の良好な簡易トイレを提供しようとするものである。
【課題を解決するための手段】
【０００５】
前記課題を解決するため、本考案に係る簡易トイレは、上面が開口した箱体上に前部が開口した便座を備え、前記箱体内に排便袋をセットして使用する簡易トイレであって、前記箱体の前面の少なくとも上部が開口していることを特徴とする（請求項１）。
【０００６】
本考案によれば、便座の前部が開口し、且つ、箱体の前面の少なくとも上部が開口しているので、前記箱体内に排便袋をセットした状態で、該排便袋を前記開口からさらに前方へと引き出すことができる。こうすることにより、排便袋の上部開口面積が従来のものより前方へと拡大されることになる。よって、前記箱体から前方へと小水が飛散することが防止される。箱体自体の前後長さを伸ばすという思想ではないので、簡易トイレの大型化をもたらすことはなく、取り扱い性も良好である。
【０００７】
好適な実施の一形態として、前記開口の形状は、上端が最も幅広で、下に行くに連れて徐々に狭まる態様を例示する（請求項２）。
【図面の簡単な説明】
【０００８】
【図１】本考案の実施の一形態に係る簡易トイレの全体斜視図である。
【図２】本考案の実施の一形態に係る簡易トイレの分解斜視図である。
【図３】図１のＩＩＩ−ＩＩＩ矢視断面図である。
【考案を実施するための形態】
【０００９】
以下、添付図面を参照して、本考案の実施の一形態について説明する。
【００１０】
図１に示すように、本考案の実施の一形態に係る簡易トイレ１は、上面が開口した箱体２上に前部が開口した便座３を備え、前記箱体２内に排便袋４をセットして使用するものである。そして、前記箱体２の前面２ａの少なくとも上部が開口していることを特徴とする。ここで、前記簡易トイレ１の前後とは、使用状態における利用者の体の前後と一致するものとする。
【００１１】
利用者は、前記便座３に腰を下ろして前記排便袋４内に排便を行う。その後、排便袋４内に凝固材を振り入れて汚物を固めることにより、袋４ごと可燃物として処理することができる。
【００１２】
前記簡易トイレ１によれば、前記箱体２の前面２ａの少なくとも上部が開口しているので、前記箱体２内に排便袋４をセットした状態で、該排便袋４を前記開口５からさらに前方Ｆへと引き出すことができる。こうすることにより、排便袋４の上部開口面積が従来のものより前方Ｆへと拡大されることになる。よって、前記箱体２から前方Ｆへと小水が飛散することが防止される。箱体２自体の前後長さを伸ばすという思想ではないので、簡易トイレ１の大型化をもたらすことはなく、取り扱い性も良好である。
【００１３】
前記箱体２の前面２ａの前記開口５の形状は、上端が最も幅広で、下に行くに連れて徐々に狭まる形状にすると好適である。
【００１４】
次に、前記簡易トイレ１の構成を具体的に説明する。
【００１５】
図２に示すように、前記箱体２は、上面が開口した直方体の箱体であり、前面２ａに前から見てＶ字状の開口５が形成されている。限定はされないが、前記箱体２は、ステンレス製とするのが好適である。
【００１６】
前記箱体２には、前記便座３が被せられる。該便座３は、前部が開口しており、上から見てコ字状とされている。本実施の形態では、前記便座３の下側にぴったりと嵌り込む便座台６を備える。この便座台６も、前記便座３と同様に前部が開口しており、上から見てコ字状である。前記便座台６には、角部に適宜アールが形成される。前記便座台６が前記箱体２の上縁部を覆うように前記箱体６に被せられる。前記便座台６の上からプラスチック製の排便袋４を前記箱体２内に入れ、前記排便袋４の上縁部４ａを前記便座台６の上に広げる。その上から前記便座３を被せる。このようにすれば、前記箱体２の上縁部２ｂとの直接接触により前記排便袋４が破損してしまう等の不都合を回避できる。なお、前記箱体２と、前記便座台６と、前記便座３との関係は、図３に示されている。
【００１７】
前記便座３と前記便座台６も、前記箱体２と同様に、ステンレス製とするのが好ましい。前記便座３は、利用者の肌に直接接するものであるから、肌を傷付けないように、角部に適宜アールを設ける等の安全措置が講じられることは勿論である。
【００１８】
なお、図２に示すように、前記便座３及び便座台６には、洗浄時の排水に便利なように、コーナー部分に排水用切欠部７，８を設けておくのが好ましい。
【００１９】
前記箱体２内の底部には、すのこ状等の通水性の台座を敷くこともできる。図３に示す台座９は、前記箱体２内の底面よりも高い位置にある台座面９ａを備え、且つ、該台座面９ａ上の水分を両側開口部９ｃから前記箱体２内の底面２ｃ上へと逃がすことができる構成となっている。前記台座面９ａが前記排便袋４の底部を支持する。
【００２０】
その他、前記台座面９ａの四隅に脚部を設けたものでも良い。また、前記台座面９ａは網目状であっても良いし、単数又は複数の孔９ｂを有するものであっても良い。通水性の前記台座９を設けることにより、前記排便袋４から水分が漏れた場合でも、水分が台座面９ａ上から下の空間に流れて、前記排便袋４の底面が必要以上に汚れてしまうことが防止できる。
【００２１】
また、前記箱体の下に該箱体を安定的に支持する台座（図示せず）を配置することで、利用者が使い易い高さにすることもできる。
【００２２】
図示してはいないが、不使用時に前記簡易トイレ１を覆う蓋を備えたものとすることもできる。
【符号の説明】
【００２３】
１  簡易トイレ
２  箱体
３  便座
４  排便袋
５  開口
６  便座台
【図１】
0003181896.tif 000003
【図２】
0003181896.tif 000004
【図３】
0003181896.tif 000005